(57)【要約】【課題】ディスク等の記録媒体を一回に一枚だけ供給可能であるディスク供給装置を提供する。【解決手段】本発明は、内縁４１３を持つディスク供給穴４１２を有する本体４１と、前記本体４１内に設けられるディスク分け装置４３と、を含み、前記ディスク分け装置４３は、駆動装置４３１と、環状のギアであり前記駆動装置４３１に結合される伝動部材４３３と、複数のディスク分け部材４３４と、を含み、前記ディスク分け部材４３４は、前記環状ギアと噛合うように前記本体内に回動自在に設けられ、それぞれ前記ディスク供給穴４１２の内縁４１３から突出しており、欠け口４３５および斜め皺４３６が設けてあり、前記欠け口４３５および斜め皺４３６により、回転している前記ディスク分け部材４３４は、前記斜め皺４３６に案内されて一つのディスクをディスク供給穴４１２に通過させ、ディスク供給穴４１２を通過したディスクが重力によって落下することを特徴とする。【選択図】図３
2008130226.tif 000002
【特許請求の範囲】
【請求項１】
内縁を持つディスク供給穴を有する本体と、前記本体内に設けられるディスク分け装置と、を含み、ディスクコピー装置に組み付けられるディスク供給装置において、
前記ディスク分け装置は、駆動装置と、環状のギアであり前記駆動装置に結合される伝動部材と、複数のディスク分け部材と、を含み、
前記ディスク分け部材は、前記環状ギアと噛合うように前記本体内に回動自在に設けられ、それぞれ前記ディスク供給穴の内縁から突出しており、欠け口および斜め皺が設けてあり、前記欠け口および斜め皺により、回転している前記ディスク分け部材は、前記斜め皺に案内されて一つのディスクをディスク供給穴に通過させ、ディスク供給穴を通過したディスクが重力によって落下することを特徴とする、ディスク供給装置。
【請求項２】
更に、前記本体の前記ディスク供給穴の内縁に設けられる案内装置を含むことを特徴とする、請求項１に記載のディスク供給装置。
【請求項３】
前記ディスク分け部材は、三つあり、三角形のように配置されることを特徴とする、請求項１に記載のディスク供給装置。
【請求項４】
前記駆動装置は、モータと、
前記モータと結合し、且つ前記環状ギアと噛合っている減速装置と、を含むことを特徴とする、請求項１に記載のディスク供給装置。
【請求項５】
前記内縁は複数の溝を有し、これらのディスク分け部材はそれぞれこれらの溝を経由して前記ディスク供給穴の内縁から伸び出していることを特徴とする、請求項１に記載のディスク供給装置。
【発明の詳細な説明】
【技術分野】
【０００１】
本発明は、データ記憶媒体の自動化コピー装置に係り、特に、ディスクなどのデータ記憶媒体を一回に一枚だけ供給可能であるディスク供給装置に関するものである。
【背景技術】
【０００２】
光学データ記憶媒体（例えばディスクなど）は、各種類のフォーマットのデータを記憶するためのものである。大量のディスクにデータを記憶する方法は、一般にプレス方式を採用する。
【０００３】
しかし、少数量のディスクにデータを記憶する方法は、焼き方式を採用すると経済的である。少数量のディスクにデータを記憶する場合には、自動化された焼き機器を採用すると、工数を低減可能である。
【０００４】
市販している自動化された焼き機器は、ロボットでディスクを取って焼き機器に入れてデータを書き込んで、ロボットでディスクを取り出して収集ケースに入れて、その後、ロボットで次のディスクを取って焼き機器に入れてデータを書き込む。
【０００５】
しかし、ロボットは、構成が複雑であり、値段が高く、且つロボットの稼動空間がかなり広いので、ロボットを含む自動化された焼き機器は、体積が大きいであり、値段も高い。
【発明の開示】
【発明が解決しようとする課題】
【０００６】
本発明の主な目的は、重力および回転機構の制御により、ディスクなどのデータ記憶媒体を一回に一枚だけ供給可能であるディスク供給装置を提供することにある。
【課題を解決するための手段】
【０００７】
上記目的を達成するためになされた本願の発明は、内縁を持つディスク供給穴を有する本体と、前記本体内に設けられるディスク分け装置と、を含み、ディスクコピー装置に組み付けられるディスク供給装置において、前記ディスク分け装置は、駆動装置と、環状のギアであり前記駆動装置に結合される伝動部材と、複数のディスク分け部材と、を含み、前記ディスク分け部材は、前記環状ギアと噛合うように前記本体内に回動自在に設けられ、それぞれ前記ディスク供給穴の内縁から突出しており、欠け口および斜め皺が設けてあり、前記欠け口および斜め皺により、回転している前記ディスク分け部材は、前記斜め皺に案内されて一つのディスクをディスク供給穴に通過させ、ディスク供給穴を通過したディスクが重力によって落下することを特徴とするディスク供給装置であることを要旨としている。
【０００８】
本願の発明では、更に、前記本体の前記ディスク供給穴の内縁に設けられる案内装置を含むことを特徴とする請求項１に記載のディスク供給装置であることを要旨としている。
【０００９】
本願の発明では、前記ディスク分け部材は、三つあり、三角形のように配置されることを特徴とする請求項１に記載のディスク供給装置であることを要旨としている。
【００１０】
本願の発明では、前記駆動装置は、モータと、前記モータと結合し、且つ前記環状ギアと噛合っている減速装置と、を含むことを特徴とする請求項１に記載のディスク供給装置であることを要旨としている。
【００１１】
本願の発明では、前記内縁は複数の溝を有し、これらのディスク分け部材はそれぞれこれらの溝を経由して前記ディスク供給穴の内縁から伸び出していることを特徴とする請求項１に記載のディスク供給装置であることを要旨としている。
【発明の効果】
【００１２】
本発明のディスク供給装置によれば、次のような効果がある。
（１）ディスクなどのデータ記憶媒体を一回に一枚だけ供給可能であり、ロボットを使用する必要がなく、機器全体の体積を低減可能であり、且つ製造コストを低く抑え可能である。
【００１３】
（２）伝動部材が環状ギアであるので、組付作業が便利になり、使用寿命が更に長くなり、パワーの伝動効率が向上する。
【発明を実施するための最良の形態】
【００１４】
以下、添付図面を参照して本発明の好適な実施の形態を詳細に説明する。
【００１５】
次に、図１および図２を参照する。本発明の実施例のディスク供給装置４０はディスクコピー装置に取り付けられる。本実施例では、前記ディスクコピー装置がディスク自動供給読み書きプリント装置１０である。
【００１６】
前記ディスク自動供給読み書きプリント装置１０は、枠体２０と、読み書きプリント装置３０と、ディスク供給装置４０と、を含む。前記ディスク自動供給読み書きプリント装置１０は、光学記憶媒体（例えば、光学重複記録可能ディスク（ＣＤ-Ｒ/Ｗ）、光学記録可能ディスク（ＣＤ-Ｒ）など）に適用可能であり、データを光学記憶媒体に書き込むためのものである。前記ディスク供給装置４０により、積上げられたディスクが重力で一つ一つトレーに落下した後、前記トレーが前記読み書きプリント装置３０に入れられ、このとき、ディスクにデータを書き込んでディスクの上面に模様をプリントすることができる。
【００１７】
また、図２乃至図４を参照する。前記ディスク供給装置４０は、本体４１と、ディスク分け装置４３と、案内装置４６とを含む。
【００１８】
前記本体４１は、二つのハーフケーシング４１１を結合して構成されるものである。前記本体４１は、内縁４１３を持つディスク供給穴４１２を有し、前記内縁４１３には溝４１４が複数に設けてある。
【００１９】
前記ディスク分け装置４３は、前記本体４１に設けられ、駆動装置４３１と、環状のギアであり前記駆動装置４３１に結合される伝動部材４３３と、複数のディスク分け部材４３４と、を含む。前記駆動装置４３１は、モータと、減速装置４３２と、を含む。前記伝動部材４３３は減速装置４３２と噛合っている。
【００２０】
また、図５を参照する。前記ディスク分け部材４３４は、前記伝動部材４３３と噛合うように前記本体内に回動自在に設けられ、その周縁に欠け口４３５及び斜め皺４３６が設けてあり、且つ前記溝４１４により前記ディスク供給穴４１２の内縁４１３から伸び出し可能であり、前記ディスク分け部材４３４の数量は実際のニーズによって決めればよい。本実施例では、ディスク分け部材４３４が三つあり、そして三角形に配列されている。
【００２１】
これにより、積上げられたディスクが前記ディスク供給穴の上に位置するように、ディスク分け部材４３４が積上げられたディスクを支持する。これらのディスクをトレーに一つ一つ放置しようとする場合には、モータが減速ギア４３２を通じて伝動部材４３３を回転し、そして回転している伝動部材４３３がディスク分け部材４３４を回転する。前記欠け口４３５により最も下にあるディスクが落下して前記斜め皺４３６に案内されて前記ディスク供給穴４１２を通過し、最後に、重力によってトレーに落下する。このとき、モータを停止すると、一回に一枚のディスクだけを落下することができる。
【００２２】
案内装置４６は、前記本体４１のディスク供給穴４１２の周縁に設けられ、積上げられたディスクを案内して位置決めさせるものである。前記案内装置４６は、二本以上の案内ピン４６１を使用してもよく、本実施例では、三本の案内ピン４６１を使用することを例にして説明した。
【図面の簡単な説明】
【００２３】
【図１】本発明の実施例の光学読書き可能ディスク用のディスク自動供給読み書きプリント装置の斜視図である。
【図２】図１におけるディスク自動供給読み書きプリント装置の分解斜視図である。
【図３】本発明の実施例の分解斜視図である。
【図４】図３におけるディスク分け装置の斜視図である。
【図５】図４におけるディスク分け装置の平面図である。
【符号の説明】
【００２４】
１０      ディスク自動供給読み書きプリント装置
２０      枠体
３０      読み書きプリント装置
４０      ディスク供給装置
４１      本体
４３      ディスク分け装置
４６      案内装置
４１１    ハーフケーシング
４１２    ディスク供給穴
４１３    内縁
４１４    溝
４３１    駆動装置
４３２    減速ギア
４３３    伝動部材
４３４    ディスク分け部材
４３５    欠け口
４３６    斜め皺
４６１    案内ピン
【図１】
2008130226.tif 000003
【図２】
2008130226.tif 000004
【図３】
2008130226.tif 000005
【図４】
2008130226.tif 000006
【図５】
2008130226.tif 000007